(57)【要約】【課題】  埋設ボックスの取付位置や取付姿勢に対して水栓の取付位置や姿勢を変更しやすいようにする。【解決手段】  水栓１の取付対象のコンクリート壁部分に埋設自在で、且つ、給水管４を挿通自在な埋設ボックスＳ１を設けると共に、埋設ボックスＳ１の壁表面側部分に形成された配管用開口部３を覆う状態に設置自在な表面板Ｓ２を設け、表面板Ｓ２に、水栓１を壁表面側に取付自在で且つ給水管４を水栓１に連通接続自在な水栓取付部７と、壁へ表面板Ｓ２を直接に固定する固定部８とを設けてある。【選択図】        図３
2005264598.tif 000002
【特許請求の範囲】
【請求項１】
水栓の取付対象のコンクリート壁部分に埋設自在で、且つ、給水管を挿通自在な埋設ボックスを設けると共に、前記埋設ボックスの前記壁表面側部分に形成された配管用開口部を覆う状態に設置自在な表面板を設け、前記表面板に、前記水栓を前記壁表面側に取付自在で且つ前記給水管を前記水栓に連通接続自在な水栓取付部と、前記壁へ前記表面板を直接に固定する固定部とを設けてある給水配管設備具。
【請求項２】
前記埋設ボックスと、前記開口部を通した前記給水管を連通接続した状態の前記表面板とが、前記壁面方向に沿って相対移動できる余裕空間を、前記埋設ボックス内に形成してある請求項１に記載の給水配管設備具。
【請求項３】
前記表面板の固定部は、ネジ固定部で構成してあり、前記表面板におけるネジ固定部の配置は、前記壁に表面板を固定した状態で、ネジ部材が前記埋設ボックスの外周面より外方のコンクリート壁部分に位置するように設定してある請求項１又は２に記載の給水配管設備具。
【発明の詳細な説明】
【技術分野】
【０００１】
本発明は、水栓をコンクリート壁の表面に設置するのに、互いに連通接続したサヤ管と埋設ボックスとを壁のコンクリートと共に打ち込んでおき、給水管を埋設ボックス・サヤ管に挿通させると共に、給水管の先端に水栓を接続して埋設ボックス位置の壁表面側に水栓が位置するように設置する所謂「サヤ管工法」に用いる給水配管設備具に関する。
【背景技術】
【０００２】
従来、コンクリート壁に水栓を取り付けるには、予め、水栓取付部分、及び、配管部分を確保する為のスリーブや箱等の空間確保材をコンクリート打設空間に配置しておき、コンクリート打設後に、空間確保材を除去してその除去空間に配管を行うと共に、壁表面に水栓を配置し、配管や水栓の周りの空間にモルタルを充填して一体に固定する等の方法が採用されることがあったが、これらの場合、給水管や水栓の点検や取り替えを行う際には、コンクリートを除去しなければならず、手間が掛かることから、比較的メンテナンスを簡単に実施できる上述の「サヤ管工法」が多用されるようになってきている。
この種の給水配管設備具としては、図８に示すように、水栓１の取付対象のコンクリート壁２部分に埋設自在で、且つ、給水管４を挿通自在な埋設ボックスＳ１を設けると共に、その埋設ボックスＳ１に対して水栓１を直接に取り付ける水栓取付部２０が、前記埋設ボックスＳ１に備えたものがあった（例えば、特許文献１、特許文献２参照）。
そして、埋設ボックスＳ１にサヤ管５を連通接続した状態で、それらを壁のコンクリート打設空間に配置し、例えば、型枠等に仮止めした後、コンクリートを打設することで壁２に設置することができ、型枠を撤去した後、サヤ管、埋設ボックスにわたって給水管を挿通して取り付けると共に、水栓を水栓取付部に取り付けることで給水配管設備を構成するものである。
【０００３】
【特許文献１】特開２００２−２９４７７４号公報（図２）
【特許文献２】特開２００１−２０７４８８号公報（図２）
【発明の開示】
【発明が解決しようとする課題】
【０００４】
埋設ボックスを壁に設置する工程においては、前述のとおり、コンクリート打設の前に型枠等に仮固定されており、例えば、コンクリート打設までの間に、他物が埋設ボックスにぶつかったり、更には、打設するコンクリートが埋設ボックス上に注がれると、それらの衝撃を受けて埋設ボックスのセッティング位置がずれたり、セッティング姿勢が変化したりする危険性がある。
上述した従来の給水配管設備具によれば、水栓取付部が、前記埋設ボックスに設けられているから、埋設ボックスの埋設位置がずれたり埋設姿勢が変化すると、それに伴って、水栓そのものも当初予定されていた位置からずれたり、壁表面に対して傾斜した姿勢になったりする問題点がある。
そして、水栓の取付位置や取付姿勢を当初予定したものに直すためには、埋設ボックス周囲のコンクリートを粉砕してセッティングをやり直してモルタルで埋め戻す等、非常に手間が掛かることになる。
尚、参考としてコンセントボックスについては、埋設ボックス内の範囲でコンセントの取付位置を調整する機構を備えたものがあるが、この場合には、位置調整の範囲が非常に狭いことと、取付姿勢に関しては調整できない等の問題点がある。
【０００５】
従って、本発明の目的は、上記問題点を解消し、埋設ボックスの取付位置や取付姿勢に対して水栓の取付位置や姿勢を変更しやすい給水配管設備具を提供するところにある。
【課題を解決するための手段】
【０００６】
本発明の第１の特徴構成は、水栓の取付対象のコンクリート壁部分に埋設自在で、且つ、給水管を挿通自在な埋設ボックスを設けると共に、前記埋設ボックスの前記壁表面側部分に形成された配管用開口部を覆う状態に設置自在な表面板を設け、前記表面板に、前記水栓を前記壁表面側に取付自在で且つ前記給水管を前記水栓に連通接続自在な水栓取付部と、前記壁へ前記表面板を直接に固定する固定部とを設けてあるところにある。
【０００７】
本発明の第１の特徴構成によれば、埋設ボックスの前記開口部を、表面板で覆う状態に設置することができるから、埋設ボックスの中が壁表面に露出するようなことが無い状態に設置できる。
また、表面板に、壁へ表面板を直接に固定する固定部を設けてあるから、埋設ボックスの埋設状態に影響を受けずに、表面板を壁に固定することが可能となる。従って、埋設ボックスの埋設位置や埋設姿勢が多少ずれていたにしても、表面板そのものは、壁の所定の位置で、壁面に沿った状態に固定することが可能となる。
そして、そのように壁の所定の位置に所定の姿勢で固定できる表面板に、前記水栓取付部が設けられているから、水栓に関しても、表面板と同様に、前記埋設ボックスの埋設状態に影響を受けずに所定の位置に所定の姿勢に取り付けることが可能となる。
その結果、コンクリート打設空間の所定位置に仮固定した埋設ボックスが、仮に、位置ずれしたままコンクリート壁中に埋設されてしまったにしても、コンクリートを除去して位置を直すと言った手間を掛けずに、表面板や水栓そのものは、位置・姿勢を簡単に変更でき、所定の位置に所定の姿勢で固定することが可能となる。
従って、コンクリート打設空間での埋設ボックスの仮固定を、必要以上に強固に行う必要が無くなると共に、埋設ボックスの位置直しの一連の作業（コンクリート除去や新たなモルタル充填等）を省略することが可能となり、給水配管作業を効率よく実施することが可能となる。
【０００８】
本発明の第２の特徴構成は、前記埋設ボックスと、前記開口部を通した前記給水管を連通接続した状態の前記表面板とが、前記壁面方向に沿って相対移動できる余裕空間を、前記埋設ボックス内に形成してあるところにある。
【０００９】
本発明の第２の特徴構成によれば、本発明の第１の特徴構成による上述の作用効果を叶えることができるのに加えて、前記埋設ボックスに形成された余裕空間内で、表面板を壁面方向に沿って移動させながら位置決めすることができ、給水配管作業をより実施し易くすることが可能となる。
【００１０】
本発明の第３の特徴構成は、前記表面板の固定部は、ネジ固定部で構成してあり、前記表面板におけるネジ固定部の配置は、前記壁に表面板を固定した状態で、ネジ部材が前記埋設ボックスの外周面より外方のコンクリート壁部分に位置するように設定してあるところにある。
【００１１】
本発明の第３の特徴構成によれば、本発明の第１又は２の特徴構成による上述の作用効果を叶えることができるのに加えて、コンクリート壁の厚みいっぱいに埋設ボックスが埋設されているような場合でも、その埋設ボックスの外周面より外方側でネジ部材の定着長を充分に確保して、より強固に表面板をコンクリート壁に取付固定することが可能となる。従って、開閉操作等の外力が水栓に作用しても、水栓、及び、表面板が弛んだり外れたりし難くすることができる。
【発明を実施するための最良の形態】
【００１２】
以下に本発明の実施の形態を図面に基づいて説明する。尚、図面において従来例と同一の符号で表示した部分は、同一又は相当の部分を示している。
【００１３】
図１、図２は、本発明の給水配管設備具の一実施形態品（以後、単に設備具という）Ｓを用いて水栓１を壁２に取り付けて給水できるようにしてある状況を示すものである。
【００１４】
前記壁２は、鉄筋コンクリート製で、予め、壁の表裏両面に該当する箇所に型枠を設置しておき、両型枠間の空間にコンクリートを打設して固めることで構成されている。尚、図には示さないが、コンクリート打設空間には、予め、鉄筋の配筋が行われており、当該設備具Ｓも、コンクリート打設前に、これらの鉄筋や型枠に仮固定しておくことで、壁２内での位置を確保するものである。
【００１５】
当該設備具Ｓは、水栓１が取り付く壁２部分に埋設する埋設ボックスＳ１と、前記埋設ボックスＳ１の壁表面側部分に形成された配管用開口部３を覆う状態に壁２に設置する表面板Ｓ２とを備えて構成してある。
【００１６】
埋設ボックスＳ１は、例えば、合成樹脂や金属によって構成してあり、図２、図３に示すように、矩形ボックス形状に形成してある。そして、埋設ボックスＳ１の外周縁部には、給水管４挿通用のサヤ管５を連結自在なサヤ管連結部６が形成されている。尚、前記給水管４は、例えば、合成樹脂製の可撓管とうで構成してあることが多い。
そして、埋設ボックスＳ１の内空部、及び、前記開口部３は、前記サヤ管５に挿通させた給水管４や、その給水管４の端部を連結した水栓取付部７が、内嵌した状態で壁面に沿って上下左右に移動できる広さに形成してあり、この空間を余裕空間Ｙと言う。この余裕空間Ｙの具体的な寸法としては、上下・左右それぞれに１０〜３０ｍｍ程度移動できるように設定することが多い。
因みに、サヤ管５は、図に示すように、合成樹脂製のコルゲートパイプで構成してあり、端部を前記サヤ管連結部６に連結して、埋設ボックスＳ１と共に壁２に埋設される。
【００１７】
前記表面板Ｓ２は、本実施形態では、矩形形状の金属板で構成してあり、その四隅部分には、ネジ固定部からなる固定部８がそれぞれ設けてある。そして、中央部分には、前記水栓取付部７が取り付けてある。また、裏面の外縁部分には、合成樹脂製のシール部９が設けてあり、表面板Ｓ２を壁２表面に押し付けることで相互に密接して壁２と表面板Ｓ２間の防水を図れるようにしてある。
そして、表面板Ｓ２の縦・横寸法は、前記埋設ボックスＳ１の縦・横寸法より大きく設定してあり、埋設された埋設ボックスＳ１に対して、壁面に沿って縦・横に位置ずれさせても、前記開口部３を覆い隠すことが出来るように構成されている。
【００１８】
前記固定部８は、具体的には、ネジ穴８ａと、そのネジ穴８ａに挿入して前記壁２に定着固定させるネジ部材８ｂとを備えて構成してある。従って、例えば、壁２に予めアンカー用のプラグ等を埋め込んでおき、そのプラグに前記ネジ部材８ｂを螺着させることによって、表面板Ｓ２を壁２に固定することができる。
【００１９】
前記水栓取付部７は、図３に示すように、表面板Ｓ２の中央部に形成された貫通穴１０に挿通させて表裏から挟持することで取り付けられている。
具体的には、前記水栓取付部７は、「Ｌ」字型の金属筒部材１１と、樹脂製のワッシャ１２と、表面板Ｓ２の裏面側から前記貫通穴１０に挿通した前記金属筒部材１１一端部の雄ネジ部１１ａに螺合させて締め付けることで金属筒部材１１を表面板Ｓ２に固定するナット１３と、金属筒部材１１の他端部に形成した給水管接続部１１ｂとを備えて構成されている。
そして、前記金属筒部材１１の一端部の内周面には、水栓１を螺合取付自在な雌ネジ部１１ｃが形成してある。また、金属筒部材１１の筒軸芯方向での中間部外周には、鍔部１１ｄが形成してあり、この鍔部１１ｄと前記ナット１３との挟持力で表面板Ｓ２に水栓取付部７が固定されている。
このように、表面板Ｓ２に固定した状態の当該水栓取付部７には、壁表面側には水栓１が取り付けられると共に、壁裏面側には、前記給水管４が取り付けられ、それらを通して一連の給水路が構成される。
【００２０】
当該設備具Ｓの設置手順の一例について説明する。
［１］  埋設ボックスＳ１とサヤ管５とを連結部６で連通接続した状態でそれらをコンクリート打設空間の所定位置に仮固定する。その際、埋設ボックスＳ１の内空部にコンクリートが入り込まないように、例えば、前記開口部３を閉塞しておく。
［２］  コンクリートが固まった後、型枠を撤去する（図４（イ）参照）。
［３］  開口部３を開口させると共に、埋設ボックスＳ１内からサヤ管５内に給水管４を挿入すると共に、端部に前記水栓取付部７を連結する（図４（ロ）参照）。
［４］  水栓取付部７の雄ネジ部１１ａを表面板Ｓ２に挿通させた状態でナット１３を螺合させて締め付けることで両者を一体化する。
［５］  所定の表面板取付位置に合わせて表面板Ｓ２を配置して、前記固定部８で壁２に固定する（図５（ハ）参照）。固定部８のネジ部材８ｂは、図に示すように、埋設ボックスの側方に位置するコンクリート部分に定着してある。また、前記表面板Ｓ２の配置に伴っては、図６に示すように、埋設ボックスＳ１の埋設位置が所定の位置から多少ずれて（図の例では、予定位置より上方にずれている）いたり、図７に示すように、埋設姿勢が壁面に対して角度がついてしまったにしても、前記余裕空間Ｙの範囲内であれば、正規の位置に表面板をずらしたり、壁面に沿う状態に固定することができる。このようにして壁２に固定した前記水栓取付部７に前記水栓１を螺合させれば、水栓の取付作業が完了する（図５（ニ）参照）。
【００２１】
本実施形態の給水配管設備具によれば、埋設ボックスＳ１が、仮に、位置ずれしたままコンクリート壁中に埋設されてしまったにしても、表面板Ｓ２や水栓１そのものは、位置・姿勢を簡単に変更でき、所定の位置に所定の姿勢で固定することが可能となり、給水配管作業を効率よく実施することが可能となる。
【００２２】
〔別実施形態〕
以下に他の実施の形態を説明する。
【００２３】
〈１〉  給水配管設備具は、先の実施形態で説明した仕様の埋設ボックスＳ１と表面板Ｓ２に限るものではなく、例えば、それぞれの寸法や形状や材質等の変更は可能である。また、埋設ボックスＳ１、表面板Ｓ２それぞれに備えた各付属パーツについても同様に、寸法や形状や材質等の変更は可能である。
〈２〉  また、固定部に関しては、先の実施形態で説明したネジ固定部に限るものではなく、例えば、接着剤やモルタル等の接着材によって表面板を壁に固定するように構成するものであってもよい。
【００２４】
尚、上述のように、図面との対照を便利にするために符号を記したが、該記入により本発明は添付図面の構成に限定されるものではない。
【図面の簡単な説明】
【００２５】
【図１】給水配管設備具の設置状況を示す上面図
【図２】給水配管設備具の設置状況を示す正面図
【図３】給水配管設備具の上面視分解断面図
【図４】給水配管設備具の取付状況を示す上面視断面図
【図５】給水配管設備具の取付状況を示す上面視断面図
【図６】埋設ボックスの位置ずれ状態を示す正面図
【図７】埋設ボックスの姿勢変化状態を示す上面図
【図８】従来の給水配管設備具の設置状況を示す側面視切欠き断面図
【符号の説明】
【００２６】
１      水栓
２      壁
３      配管用開口部
４      給水管
７      水栓取付部
８      固定部
８ｂ    ネジ部材
Ｙ      余裕空間
Ｓ１    埋設ボックス
Ｓ２    表面板
【図１】
2005264598.tif 000003
【図２】
2005264598.tif 000004
【図３】
2005264598.tif 000005
【図４】
2005264598.tif 000006
【図５】
2005264598.tif 000007
【図６】
2005264598.tif 000008
【図７】
2005264598.tif 000009
【図８】
2005264598.tif 000010